(57)【要約】  工具整理収納具が開示される。一実施形態によれば、工具整理収納具は、フレームと、フレームに取り付けられた複数本の車輪とを有する。工具整理収納具は、フレームによって支持された工具収納構造体を更に有する。工具収納構造体は、複数枚の収納パネルを有し、各収納パネルは、特定の工具を固定する少なくとも１つの工具ファスナと、特定の工具を識別する関連の工具標識とを有する。複数枚の収納パネルは、閉鎖形態と開放形態との間で互いに対して動くことができる。モジュール化工具整理収納具、工具セット運搬システム、工具バッグ、及び工具整理収納具内に収納された１組の工具を点検する方法も又、開示される。
2007505750.tif 000002
【特許請求の範囲】
【請求項１】
工具整理収納具であって、
フレームと、
前記フレームに取り付けられた複数本の車輪と
前記フレームによって支持された工具収納構造体とを有し、該工具収納構造体は、複数枚の収納パネルを有し、各収納パネルは、特定の工具を固定する少なくとも１つの工具ファスナを有し、前記工具収納構造体は、各工具ファスナと関連した工具標識を有し、前記複数枚の収納パネルは、閉鎖形態と開放形態との間で互いに対して動くことができる、工具整理収納具。
【請求項２】
前記工具収納構造体は、前記複数枚の収納パネルが取り付けられたベースと、前記複数枚の収納パネルを前記ベースに連結する複数個のヒンジとを更に有する、請求項１記載の工具整理収納具。
【請求項３】
前記工具収納構造体は、収納パネルを部分的に覆う少なくとも１つの収納パネルスリーブを更に有し、前記工具ファスナは、前記収納パネルスリーブと一体に形成されたポケットである、請求項１記載の工具整理収納具。
【請求項４】
前記フレームによって支持された重量支持ステップを更に有する、請求項１記載の工具整理収納具。
【請求項５】
前記工具支持パネルは、垂直方向に設けられている、請求項１記載の工具整理収納具。
【請求項６】
一体型であって取外し可能な工具ベルトを更に有する、請求項１記載の工具整理収納具。
【請求項７】
一体型で取外し可能な工具バッグを更に有する、請求項１記載の工具整理収納具。
【請求項８】
一体型で取外し可能な工具ボックスを更に有する、請求項１記載の工具整理収納具。
【請求項９】
前記工具ベルトは、複数個の工具ファスナ及び関連の工具標識を有する、請求項６記載の工具整理収納具。
【請求項１０】
工具整理収納具であって、
複数個の着脱自在に組み立てられたフレームコンポーネントを有するモジュール化フレームと、
前記モジュール化フレームに着脱自在に取り付けられるようになった少なくとも１つの工具モジュールとを有し、各工具モジュールは、少なくとも１つの工具ファスナと各工具ファスナと関連した少なくとも１つの対応の工具標識とを有する、工具整理収納具。
【請求項１１】
各工具モジュールは、少なくとも１枚のヒンジ止めされた収納パネルを有する、請求項１０記載の工具整理収納具。
【請求項１２】
各収納パネルは、剛性フレームを部分的に覆う収納パネルスリーブを有し、各工具ファスナは、前記収納パネルスリーブと一体に形成されたポケットである、請求項１１記載の工具整理収納具。
【請求項１３】
一体型で取外し可能な工具バッグを更に有する、請求項１１記載の工具整理収納具。
【請求項１４】
工具セット運搬システムであって、
モジュール化フレームの一部であるフレームコンポーネントと、
前記フレームコンポーネントを支持するようになった移動用ベースと、
前記フレームコンポーネントに着脱自在に取り付けられるようになった少なくとも１つの工具モジュールとを有する、工具セット運搬システム。
【請求項１５】
前記移動用ベースは、シートベルトを用いて乗用者のシートに締結されるようになっている、請求項１４記載の工具セット運搬システム。
【請求項１６】
工具バッグであって、
各々が関連の工具標識を有する複数個の工具ファスナと、
前記工具バッグを工具整理収納具に取り付ける手段とを有する、工具バッグ。
【請求項１７】
前記取り付け手段は、フックを含む、請求項１６記載の工具バッグ。
【請求項１８】
前記複数個の工具ファスナは、布で作られたポケットである、請求項１６記載の工具バッグ。
【請求項１９】
少なくとも１つのコネクタにより前記工具バッグに取り付けられた調節可能なショルダベルトを更に有する、請求項１６記載の工具バッグ。
【発明の詳細な説明】
【技術分野】
【０００１】
〔発明の背景〕
発明の分野
本発明は一般に、複数の組をなす工具（工具セット）を収納し、運搬し、整理収納する携帯用工具ボックス、収納箱、コンテナ及び整理収納具に関する。特に、本発明は、開放形態又は閉鎖形態に配置できる垂直工具支持体を備えていて、開放形態に配置されたときに、工具全ての目視点検を容易にする車輪付き工具整理収納具に関する。
【背景技術】
【０００２】
関連技術の説明
工具セットを収納したり運搬する携帯用工具ボックス及び工具キャビネットが周知である。例えば、米国特許第５，３７８，００５号明細書は、ジョージ・ノートン（George Norton）により発明された携帯用工具トラックを記載している（以下、この米国特許をノートン特許という）。この米国特許第５，３７８，００５号明細書に記載された工具は、プラスチック製の本体を有し、この本体の前側フェースには、工具を収納保持するようになったコンパートメントが形成され、かかる器具は、本体の各側に取り付けられた２つのドアを更に有する。ドアは、互いに逆方向に回動して、本体のフェースにより形成されたコンパートメントを封止するオーバーラップ形態になる。ノートン特許発明は、工具を保持したり運搬するのに適しているが、この発明では、収納保持された状態の工具の全てを目で見て在庫確認するのは容易ではない。さらに、ノートン特許発明は、工具セットの各工具について特定の場所を提供してはいない。
【発明の開示】
【課題を解決するための手段】
【０００３】
〔発明の概要〕
発明の利点
本発明は、先行技術の工具整理収納具と比べて多くの利点及び利益をもたらす。具体的に説明すると、本発明は、工具の紛失又は工具の入れ忘れにより何回も行ったり来たりする必要性を減少させることにより、効率的な現地外（オフサイト）保全作業を容易にする。本発明は、盗難、紛失及び在庫縮小の軽減を一段と容易にする。
【０００４】
本発明の別の利点は、工具整理収納具を工具整理収納具内に収納された工具の目視点検及び目視在庫確認を可能にするよう開放形態で配置できるということにある。
【０００５】
本発明の別の利点は、工具整理収納具が、特定の工具セットの各特定の工具について工具ファスナ及び工具標識を有していることにある。これにより、工具セットの所有者又は管理者は、工具セットが揃っているか（完全であるか）どうかを確認するために工具整理収納具の中身を迅速に目視点検できる。特に、紛失している工具の確認が行われ、これらが何であるかが正確に分かる。
【０００６】
本発明の第１の特徴によれば、第１の例としての工具整理収納具が提供される。工具整理収納具は、フレームと、フレームに取り付けられた複数本の車輪とを有する。工具整理収納具は、フレームによって支持された工具収納構造体を更に有する。工具収納構造体は、複数枚の収納パネルを有する。各収納パネルは、工具を固定する少なくとも１つの工具ファスナを有する。複数枚の収納パネルは、閉鎖形態と開放形態との間で互いに対して動くことができる。
【０００７】
本発明の第２の特徴によれば、第２の例としての工具整理収納具が提供される。この第２の例としての工具整理収納具は、モジュール方式であり、この工具整理収納具は、複数個の着脱自在に組み立てられたフレームコンポーネントを有するモジュール化フレームと、モジュール化フレームに着脱自在に取り付けられるようになった少なくとも１つの工具モジュールとを有する。各工具モジュールは、少なくとも１つの工具ファスナと各工具ファスナと関連した少なくとも１つの対応の工具標識とを有する。
【０００８】
本発明の第３の特徴によれば、工具セット運搬システムが提供される。工具セット運搬システムは、フレームコンポーネントと、移動用ベースと、少なくとも１つの工具モジュールとを有する。フレームコンポーネントは、モジュール化フレームの一部である。移動用ベースは、フレームコンポーネントを支持するようになっており、工具モジュールは、フレームコンポーネントに着脱自在に取り付けられるようになっている。
【０００９】
本発明の第４の特徴によれば、工具バッグが提供される。工具バッグは、複数個の工具ファスナと、工具バッグを工具整理収納具に取り付ける手段とを有する。工具バッグの各工具ファスナは、関連の工具標識を有する。
【００１０】
本発明の第５の特徴によれば、工具セットをモニタする方法が提供される。この方法は、工具セットのうち少なくとも一部を開放形態で収納した工具整理収納具を構成する段階を有する。この方法は、工具セットの最初の（１回目の）揃いレベルを確認するよう工具整理収納具の中身を目視点検する段階を更に有する。最初の揃いレベルを記録し、工具整理収納具及びその中身を第三者に渡す。この方法は、工具整理収納具及び第三者から返却された中身を受け取り、工具整理収納具を開放形態に配置する段階と、工具整理収納具の返却された中身を目視点検して工具セットの次の（２回目の）揃いレベルを確認する段階とを更に有する。次の揃いレベルを最初の揃いレベルと比較して工具セットから１つ又は２つ以上の工具が紛失しているかどうかを確認する。
【００１１】
本発明の目的、特徴及び利点は、添付の図面と関連して行われる好ましい実施形態についての以下の説明から容易に明らかになろう。
【００１２】
本発明の理解は、添付の図面と関連して以下の詳細な説明を読むことにより容易になる。
【発明を実施するための最良の形態】
【００１３】
〔図面の詳細な説明〕
次に、図面を参照すると、図１には、本発明を具体化した第１の例としての工具整理収納具１００が示されている。工具整理収納具１００は、作業場内又は作業場から離れた場所に居る職人又は愛好家により用いられる所定の１組の工具を収納するようになっている。工具整理収納具１００は、取っ手１１２を備えたフレーム１１０を有する。フレーム１１０は、２本の後ろのタイヤ１１４及び２つの前のキャスタ１１６によって支持されている。フレーム１１０は、通常ユーザにより必要とされる場合のある種々雑多な工具、機械部品、工作物及び（又は）付属品を収容した幾つかのパーツ収納ボックス１１８を支持している。
【００１４】
工具整理収納具１００は、特定の１組の工具又は工具セットを収納する１組の収納パネル又は垂直工具支持体１３０を有している。特定の工具セットは、ユーザの代表的な作業内容に基づいて選択されたものであるのがよい。例えば、工具整理収納具１００には、配管工のための第１の工具セット、電気工のための第２の工具セット又は一般的な保守作業員用の第３の工具セットを入れるのがよい。図示の実施形態では、各垂直支持体は、剛性内側構造体及び工具１４４を保持する１つ以上の工具ファスナ１４０を形成する外側布製覆いを有する。各工具ファスナ１４０は、特定の工具１４４を正しく収納するような特定の寸法の形状のものであり、この工具ファスナは、工具ファスナ１４０と関連した特定の工具１４４を指示する工具標識１４２を有する。この例示の工具整理収納具１００の各工具ファスナ１４０は、特定の工具１４４を収納保管するポケットである。当然のことながら、他の形式の工具ファスナ１４０、例えば、ループ、ストラップ、ベルクロ及びフックが想定されている。
【００１５】
工具整理収納具１００は、図１、図３及び図４に示すような閉鎖形態又は図２及び図６を参照して以下に詳細に説明するような開放形態に配置できる。工具整理収納具は、パネル保持手段１３２を用いて垂直工具パネル１３０を固定することにより閉鎖位置に配置できる。図示の実施形態では、パネル保持手段１３２は、ベルクロと一般に呼ばれているフックとループから成るファスナを採用したストラップである。当然のことながら、他の形式の保持手段、例えば、スナップファスナ、バックル及び掛金は、許容可能な代替手段である。
【００１６】
次に図２及び図６を参照すると、保持手段１３２を外すことにより、ユーザは、工具整理収納具１００の垂直工具パネル１３０を開くことができる。これにより、ユーザは、工具整理収納具１００内に収納されている特定の工具セットの工具１４４の全ての工具１４４を目で見ることができ、そして関連の標識を利用してどの工具が紛失しているかに気付くことができる。
【００１７】
本発明の一特徴によれば、第１の例としての工具整理収納具１００を用いて点検及び（又は）在庫確認プロセスを容易に行って最初の（１回目の）揃いレベルを効果的に確認し、即ち、工具セットの中からどの工具が紛失しているかを突き止める方法が提供される。この方法は、工具整理収納具１００を開放形態に配置し、各工具ファスナ１４０を目視点検して工具１４４が工具ファスナ内に収納されているかどうかを判定する段階で始まる。目視点検は、工具ファスナ１４０内に入っている各工具１４４が工具標識１４２と関連しているかどうかの判定を更に含む。好ましくは、工具標識１４２は、印刷された工具名称である。ただし、これは、英数字によるコード又は他の標識、例えばバーコードであってもよい。
【００１８】
この方法は、例えば紛失している工具又は工具標識に注目することにより工具セットの最初の揃いレベルを記録する段階を更に有する。この方法は、工具整理収納具及び中身を第三者に引き渡す段階及び将来の或る時点で、工具整理収納具１００及び返却された中身を第三者から受け取る段階を更に有する。この場合も又、ユーザは、工具整理収納具１００を開放形態にして工具整理収納具の返却された中身を目視点検して工具セットの次の（２回目の）揃いレベルを判定する。最初の揃いレベルと次の揃いレベルを比較して工具セットからの１つ以上の工具１４４が工具整理収納具１００と共に返却されていなかったかどうかを判定する。
【００１９】
次に図４及び図５を参照すると、例示の工具整理収納具１００の側面図及び背面図がそれぞれ示されている。図示のように、工具整理収納具１００は、一体型工具ベルト４００を有し、この一体型工具ベルトを工具整理収納具１００から取り外し、これを用いて工具セットのサブセットを工具整理収納具１００から離して持ち運ぶことができる。本発明の変形実施形態では、工具ベルト４００に代え、工具整理収納具１００と同程度の中身の把握が行える状態を保つようにする工具バッグ又は工具ボックスを用いてもよい。
【００２０】
次に図９を参照すると、工具整理収納具１００から取り外された状態の工具ベルト４００が示されている。工具ベルト４００は、第１の端部４１２及び第２の端部４１４を備えたベルト部分４１０を有している。保持手段４１５が、ベルト端部４１４に設けられている。工具ベルト４００は、工具のサブセットを保持する工具支持体４２０及び取っ手４１８を更に有している。工具整理収納具１００のパネルの工具ファスナと同様、工具ベルトの各工具ファスナは、特定の工具をしっかりと保持するような特定の寸法形状のものであり、工具ベルト４００の各工具ファスナは、収納されるべき特定の工具の関連の標識を有している。
【００２１】
ベルト端部４１４の保持手段４１５は、工具整理収納具に一体化されると、工具整理収納具に取り付けられた対応のストラップ１５５と協働する。これと同様に、ベルト端部４１２は、これまた工具整理収納具１００に取り付けられた保持手段（図示せず）と協働する。工具ベルト４００内の工具の重量は、取っ手４１８により更に支持され、この取っ手は、工具整理収納具１００のフレーム１１０内に形成された対応して配置された突起１５０にループ状態で掛けることができる。
【００２２】
工具ベルト４００が工具整理収納具と一体化されていないとき、保持手段４１５は、ベルト端部４１２と協働して図１０に示すようにユーザの腰の周りに装着でき又はユーザの肩に掛けることができるループを形成するのがよい。工具ベルト４００は、工具ベルト４００を肩に掛けたときに、圧力を分布させてユーザにとってクッションとなるパッド４１６を更に有している。変形例として、ユーザは、工具ベルト４００を支持する取っ手４１８を使用してもよい。
【００２３】
モジュール化工具整理収納具
図１０及び図１２には、本発明を具体化した第２の例としての工具整理収納具１０００が示されている。工具整理収納具１０００は、１組の工具を離れた作業場に送るのが必要とされる場合のある職人にとって特に有用である。モジュール化工具整理収納具１０００は、乗用車又はトラック内に配置してこれから取り出せるよう設計されている。モジュール化工具整理収納具１０００は、運搬を容易にするよう分解でき、そして離れた作業場で再組立てできる４つの主要なコンポーネントを有する。４つの主要なコンポーネントは、第１の工具モジュール１１１２、第２の工具モジュール１１１４、上方フレームコンポーネント１１１６、下方フレームコンポーネント１１１８である。
【００２４】
上方フレームコンポーネント１１１６は、取っ手１０１２及びトレー１０１４を有する。取っ手１０１２及びトレー１０１４は、ヒンジ１０１８により上方フレーム１１１６に組み込まれ、これらは、調節機構、例えばばね押しピン１０１６を用いて幾つかの位置のうちの任意の位置に合わせて調節できる。例えば、取っ手１０１２を図１０及び図１１に示すように、完全組立て状態の工具整理収納具１０００の移動及び傾斜に対応するようほぼ４５°の角度に位置決め可能である。取っ手１０１２は、仕事中、工具を保持し又はスペア部品を保持する作業面として役立つよう図１２に示すように水平に位置決めできる。さらに別の例では、取っ手１０１２は、図１３に示すように、工具整理収納具１００のコンポーネントを運搬している間、スペースを取らないよう垂直方向にも位置決め可能である。
【００２５】
図１１に戻ってこれを参照すると、２つの工具モジュール１１１２，１１１４が、上方フレームコンポーネント１１１６に取り付けられると共にこれによって支持されている。工具モジュール１１１２は例えば、ブラケット１１２４ａ，１１２４ｂを用いて上方フレーム１１１６に取り付けられ、これらブラケットは、上方フレームコンポーネント１１１６の対応の横部材１１２６ａ，１１２６ｂに係合している。２つの工具モジュール１１１２，１１１４はそれぞれ、工具支持体取っ手、例えば取っ手１０３０を用いて持ち上げたり操作でき、各工具モジュールは、２つの垂直工具支持体、例えば、工具モジュール１１１２の工具支持体１１２２を有している。第１の例としての実施形態の場合と同様、垂直工具支持体は、工具支持体クロージャ１０３２によって保持でき、各垂直支持体は、工具を保持する１つ以上の工具ファスナ１０４０を有し、各工具ファスナ１０４０は、特定の工具を正しく収納するような特定の寸法形状のものである。各工具ファスナ１０４０は、工具ファスナと関連した特定の工具を指示する工具標識１０４２を更に有している。
【００２６】
下方フレームコンポーネント１１１８は、２つの後輪１０２０及び２つの前キャスタ１０２２を有している。下方フレームコンポーネント１１１８は、通常ユーザにより必要とされる場合があるが、代表的には工具在庫の一部とは考えられない種々の機械部品、工作物及び（又は）付属品を保持する幾つかの部品収納ボックス１０２４を支持している。下方フレームコンポーネント１１１８は、上方フレームコンポーネント１１１６の２つの枝部１３０８ａ，１３０８ｂをそれぞれ対応して受け入れる２つの孔を有している。上方フレームコンポーネント１１１６が下方フレームコンポーネント１１１８によって受け入れられると、対応関係にあるノブ１１２０ａ，１１２０ｂを締めることによりこれら２つのコンポーネントを固定することができる。これら取り付け機構により、工具整理収納具１０００を所望通りに組み立てたり分解することができる。
【００２７】
次に図１２を参照すると、両方の工具モジュール１０１２，１０１４が取り外された状態の工具整理収納具１０００が示されている。工具モジュールの取外しにより、下方フレームコンポーネント１１１８に組み込まれているステップ１２０２の使用が容易になる。工具整理収納具１０００は、後輪１０２０の回転を阻止するブレーキ１２０４を用いて安定化できる。
【００２８】
次に図１３を参照すると、自動車又はトラックの乗客シート、例えばシート１３０４に嵌まり込むようになった移動用ベース１３０２が示されている。移動用ベース１３０２は、標準型受動式拘束具、例えばシートベルト１３０６を用いてシート１３０４に固定できる。移動用ベース１３０２は、受け具１３１０ａ，１３１０ｂを有し、これら受け具は、上方フレーム１１１６の対応の枝部１３０８ａ，１３０８ｂを受け入れるようになっている。移動用ベース１３０２をシート１３０４に固定し、上方フレームコンポーネント１１１６を移動用ベース１３０２に取り付けると、工具モジュール１１１２，１１１４を上方フレームコンポーネント１１１６に取り付けることができる。工具整理収納具１０００がモジュール方式なので、工具整理収納具を自動車又はトラックに容易に出し入れできる。工具整理収納具を幾つかのモジュールに分解することにより、組立て状態の工具整理収納具及びその中身の重量をモジュールの全てに分散させることができ、これらモジュールは各々、容易に持ち上げたり操作することができる。
【００２９】
次に図１４を参照すると、工具整理収納具１０００の後方斜視図が示されている。図示のように、下方フレーム１１１８は、工具収納コンパートメント１４０４、木びき台支持体１４０８及び取っ手１４０６を有している。取っ手１４０６は、下方フレームコンポーネント１１１８を容易に持ち上げて運搬車から出し入れするよう使用できる。木びき台支持体１４０８は、１つの木材又は他の工作物の切断を容易にするようかかる木材又は他の工作物を支持するために使用できる。図１５により明確に示されている着脱自在な工具キャリヤ１４０２が、工具整理収納具１０００の後部に取り付けられた状態で示されている。
【００３０】
着脱自在な工具キャリヤ１４０２は、取っ手１５０２、２つの取付けフック１５０４ａ，１５０４ｂ、及び調節可能なショルダストラップ１５０６を有している。着脱自在な工具キャリヤ１４０２は、複数個の工具ファスナを更に有している。各工具ファスナは、特定の工具を正しく収納するような特定の寸法形状のものである。各工具ファスナは、工具ファスナと関連した特定の工具を指示する工具標識を更に有している。
【００３１】
工具整理収納具の使用方法
次に図１６を参照すると、例示の工具整理収納具を使用して使用のために第三者に対して点検可能な１組の工具を追跡し、維持し、そして把握する例示の方法が示されている。かかる第三者の例としては、例えば、内部作業員又は社内保守作業員や請負業者が挙げられる。ブロック１６０５では、この方法は、工具整理収納具を開放形態に配置する段階を有する。工具整理収納具をこのように配置することにより、本の頁をめくるのと同じように垂直工具支持体をめくることにより工具整理収納具内に保持されているあらゆる工具を目視点検できる（１６１０）。
【００３２】
目視点検時又は目視点検中、工具セットの揃いレベルを記録する（１６１５）。揃いレベルは、工具セットに関する多くの表示のうちのいずれであってもよく、かかる表示としては、例えば、工具セットから紛失している工具のリスト、工具セットの状態で存在する工具のリスト、所定の基準に応じた等級、又は在庫品目中の１組のチェックマークが挙げられる。ブロック１６２０では、工具整理収納具を点検し又は使用のために第三者に渡すのがよい。
【００３３】
第三者が工具整理収納具をいったん返却すると（１６２５）、中身を再び目視点検して点検時点における揃いレベルを確認するのがよい（１６３０）。次に、最初の揃いレベルと次の揃いレベルを比較して工具セットに変化があるかどうかを判定する（１６３５）。工具セットの変化に基づいて、工具セットの所有者により適当な措置を取ることができる。例えば、第三者に紛失した工具について弁償を求めることができる。
【００３４】
本発明を特定の実施形態及び用途の観点から説明したが、当業者であれば、この教示に照らして、特許請求の範囲に記載された本発明の範囲を越えず又は精神から逸脱しないで追加の実施形態を想到できよう。したがって、本願による開示における図面及び明細書は、本発明の理解を容易にするために与えられており、本発明の範囲を制限しようとするものではないことは理解されるべきである。
【図面の簡単な説明】
【００３５】
【図１】本発明の閉鎖形態に配置された第１の例としての工具整理収納具の斜視図である。
【図２】開放形態に配置された図１の工具整理収納具の斜視図である。
【図３】図１の工具整理収納具の正面図である。
【図４】図１の工具整理収納具の側面図である。
【図５】図１の工具整理収納具の背面図である。
【図６】図１の工具整理収納具の正面図である。
【図７】収納引き出しを取り出した状態の図１の工具整理収納具の斜視図である。
【図８】図１の工具整理収納具の工具ベルトの平面図である。
【図９】図１の工具整理収納具の工具ベルトの斜視図である。
【図１０】本発明の第２の例としての工具整理収納具の斜視図である。
【図１１】工具モジュールを取り外した状態の図１０の工具整理収納具の斜視図である。
【図１２】両方の工具モジュールを取り外した状態の図１０の工具整理収納具の斜視図である。
【図１３】図１０の工具整理収納具のシートブラケット及び上方フレームの分解組立図である。
【図１４】両方の工具モジュールを取り外した状態の図１０の工具整理収納具の後方斜視図である。
【図１５】図１０の工具整理収納具の取外し可能な工具キャリヤを示す図である。
【図１６】
【符号の説明】
【００３６】
１００  工具整理収納具
１１０  フレーム
１１２  取っ手
１１４  後輪
１１６  前輪
１１８  部品（パーツ）ボックス
１２０  荷重支持ステップ
１２４  収納瓶
１３０  垂直工具支持体
１３２  保持手段
１４０  工具ファスナ
１４２  工具標識
１４４  工具
１５０  突起
１５５  保持手段
４００  工具ベルト
４１０  ベルト部分
４１２  第１のベルト端部
４１４  第２のベルト端部
４１６  パッド
４１８  工具ベルト取っ手
４２０  工具支持体
１０００  モジュール化工具整理収納具
１０１２  取っ手
１０１４  トレー
１０１６  ピン
１０１８  ヒンジ
１０２０  後輪
１０２２  前輪
１０２４  収納ボックス
１０３０  工具支持体取っ手
１０３２  工具支持体リテーナ
１０４０  工具ファスナ
１０４２  工具標識
１１１２  第１の工具モジュール
１１１４  第２の工具モジュール
１１１６  上方フレームコンポーネント
１１１８  下方フレームコンポーネント
１１２０Ａ／Ｂ  ノブ
１１２２  工具支持体
１１２４Ａ／Ｂ  ブラケット
１１２６Ａ／Ｂ  支持横部材
１２０２  ステップ
１２０４  ブレーキレバー
１３０２  移動用ベース
１３０４  シート
１３０６  シートベルト
１３０８Ａ／Ｂ  枝部
１３１０Ａ／Ｂ  受け具
１４０２  着脱自在な工具キャリヤ
１４０４  収納コンパートメント
１４０６  取っ手
１５０２  取っ手
１５０４Ａ／Ｂ  取付けフック
１５０６  ショルダストラップ
【図１】
2007505750.tif 000003
【図２】
2007505750.tif 000004
【図３】
2007505750.tif 000005
【図４】
2007505750.tif 000006
【図５】
2007505750.tif 000007
【図６】
2007505750.tif 000008
【図７】
2007505750.tif 000009
【図８】
2007505750.tif 000010
【図９】
2007505750.tif 000011
【図１０】
2007505750.tif 000012
【図１１】
2007505750.tif 000013
【図１２】
2007505750.tif 000014
【図１３】
2007505750.tif 000015
【図１４】
2007505750.tif 000016
【図１５】
2007505750.tif 000017
【図１６】
2007505750.tif 000018
【国際調査報告】
2007505750.tif 000019